(57)【要約】      （修正有）【課題】プラスチック又は電気鋳造された材料で作られたケース中間部及び取り外し可能な風防を有する腕時計用ケースを提供する。【解決手段】プラスチック又は電気鋳造された材料で作られたケース中間部２と風防３とを有する腕時計用ケース１であって、風防３又はケース中間部２がエルボー付きのキャッチを有し、各キャッチを、ケース中間部２又は風防３の凹部内に差し込み式嵌め合いで挿入する。腕時計用ケース１は、特定の角度的位置にケース中間部２と風防３を角度的に固定する回転止め手段６を有し、特定の角度的位置では、各キャッチの一部が、ケース中間部２又は風防３の保持面の後ろで正面方向からロックされ、回転止め手段６は、ケース中間部２及び／又は風防３に設けられたスナップフィットフィンガー６１によって正面方向からスナップフィットされ、スナップフィットフィンガー６１は、ケース中間部２及び／又は風防３の相補的な止め面と連係する。【選択図】図４
2016161566.tif 000002
【特許請求の範囲】
【請求項１】
プラスチック又は電気鋳造された材料で作られたケース中間部（２）と、及び取り外し可能な風防（３）とを有する腕時計用ケース（１）であって、
前記風防（３）と前記ケース中間部（２）の一方は、複数のエルボー付きのキャッチ（４）を有し、
このキャッチ（４）のそれぞれを、挿入又は取り外し用の第１の角度的位置である前記ケース中間部（２）と前記風防（３）の間の相対的な第１の角度的位置にて、前記風防（３）と前記ケース中間部（２）の他方に設けられた対応する凹部（５）内に正面方向から挿入することができ、
前記キャッチ（４）のそれぞれは、前記ケース中間部（２）及び前記風防（３）の間の距離が最小であるときに、前記挿入又は取り外し用の第１の角度的位置において、第１の押し込まれ位置を占めるように構成し、
前記ケース中間部（２）及び前記風防（３）は、前記キャッチ（４）の前記押し込まれた第１の位置において、互いに対して保持用の第２の角度的位置まで回転するように構成し、
各キャッチ（４）の一部が、前記ケース中間部（２）と前記風防（３）の一方に設けられた安全キャッチを形成する保持面の後ろで正面方向からロックされ、
当該腕時計用ケース（１）は、前記ケース中間部（２）及び前記風防（３）を前記保持用の第２の角度的位置に角度的に固定する回転止め手段（６）を有し、
前記回転止め手段（６）は、スナップフィットフィンガー（６１）によって前記ケース中間部（２）及び／又は前記風防（３）に正面方向からスナップフィットされ、
このスナップフィットフィンガー（６１）は、前記回転止め手段に設けられ、前記ケース中間部（２）及び／又は前記風防（３）に設けられた少なくとも１つの相補的な止め面又は相補的なスナップフィットフィンガーと連係するように構成することを特徴とする腕時計用ケース（１）。
【請求項２】
前記回転止め手段（６）は、プラスチック材で作られていることを特徴とする請求項１に記載の腕時計用ケース（１）。
【請求項３】
前記回転止め手段（６）は、前記ケース中間部（２）及び前記風防（３）の両方の上に置かれたベゼル（７）であることを特徴とする請求項１に記載の腕時計用ケース（１）。
【請求項４】
前記風防（３）は、裏側クリスタルであることを特徴とする請求項１に記載の腕時計用ケース（１）。
【請求項５】
前記風防（３）は、不透明な裏蓋であることを特徴とする請求項１に記載の腕時計用ケース（１）。
【請求項６】
前記風防（３）は、プラスチック材で作られていることを特徴とする請求項１に記載の腕時計用ケース（１）。
【請求項７】
前記保持用の第２の角度的位置は、前記風防（３）に設けられた相補的な第１の角度的止め手段と当接連係するように構成する前記ケース中間部（２）に設けられた第１の角度的止め手段によって限界が定められていることを特徴とする請求項１に記載の腕時計用ケース（１）。
【請求項８】
前記回転止め手段（６）は、第２の角度的止め手段（６６、６７）を有し、これは、前記ケース中間部（２）に設けられた相補的なケース中間部の第２の角度的止め手段（２４、２５）と、及び／又は前記風防（３）に設けられた相補的な風防の第２の角度的止め手段と、当接連係するように構成することを特徴とする請求項１に記載の腕時計用ケース。
【請求項９】
前記スナップフィットフィンガー（６１）は、前記第２の角度的止め手段（６６、６７）を形成する側方縁（６６、６７）を有し、前記キャッチ（４）に設けられた端面（４１、４２）と当接連係するように構成することを特徴とする請求項８に記載の腕時計用ケース（１）。
【請求項１０】
前記押し込まれた第１の位置において、前記ケース中間部（２）と前記風防（３）の間の距離が最小のときに、前記ケース中間部（２）及び風防（３）はともに、前記ケース中間部（２）及び／又は前記風防（３）に設けられた溝（９）に収容された少なくとも１つのシーリングガスケットを圧縮することを特徴とする請求項１に記載の腕時計用ケース（１）。
【請求項１１】
請求項１に記載の腕時計用ケース（１）を有することを特徴とする腕時計（１００）。
【発明の詳細な説明】
【技術分野】
【０００１】
本発明は、プラスチック又は電気鋳造された材料で作られたケース中間部及び取り外し可能な風防を有する腕時計用ケースに関する。
【０００２】
本発明は、さらに、この種のケースを有する腕時計に関する。
【０００３】
本発明は、計時器用ムーブメントの保護の分野に関し、より詳細には、腕時計用ケースに関する。
【背景技術】
【０００４】
腕時計において、風防、裏側クリスタル、裏蓋のような部品が取り外し可能であることを要求される場合、この部品は、一般に、リングによってケース中間部又はケースに嵌められる。この種の取り付けは、ケース中間部又はケースが金属で作られている場合にのみ可能である。実際に、ケース中間部又はケースがプラスチックで作られている場合、リングが与える応力の下で材料が少しずつ動き、部品が落下することになる。
【０００５】
当該部品とケース中間部／ケースとが接触する箇所でケース中間部／ケースを補強するために、金属部品を付加的に用いることが知られている。しかし、利用可能なスペースの制約のために、このような金属補強物を付加的に用いることができない場合が多い。
【０００６】
ＳＨＩＦＦＭＡＮ名義の米国特許ＵＳ３３８６２３９は、差し込み式嵌め合いによってマウントされる風防を受けるプラスチック材で作られた腕時計用ケースを開示している。
【発明の概要】
【発明が解決しようとする課題】
【０００７】
本発明は、このような付加的な金属部品の使用を回避することを提案するものである。
【課題を解決するための手段】
【０００８】
このために、本発明は、請求項１に記載の腕時計用ケースに関する。
【０００９】
本発明は、さらに、この種のケースを有する腕時計に関する。
【００１０】
添付図面を参照しながら下記の詳細な説明を読むことで、本発明の他の特徴及び利点が明らかになるであろう。
【図面の簡単な説明】
【００１１】
【図１】図１〜５は、本発明に係る腕時計用ケースが有するケース中間部、風防及びベゼルの組み立ての流れを概略斜視図で示している。図１は、ケース中間部に風防を挿入する前の姿の位置における、ケース中間部と、差し込み式嵌め合いでケース中間部に固定される風防とを示している。
【図２】図２は、図１の組み立てに正面方向の力Ｆを与えた後の同じ部分組立体を示しており、風防がケース中間部に対して挿入又は取り外し用の第１の角度的位置にあってケース中間部に押し込まれている。
【図３】図３は、図２の組み立ての風防３に回転力Ｒを与えて偏位した部分組立体を示している。ここでは、風防がケース中間部に対して第２の角度的保持位置にある。
【図４】図４は、本発明に係る回転止め手段が付加された同じ部分組立体を示している。この回転止め手段は、ここでは、ベゼルによって形成されており、これは、ケース中間部内にスナップされ風防を所定位置にロックするように意図されており、このベゼルは、挿入の前の位置にて示されている。
【図５】図５は、図４のケース中間部内にてベゼルが所定位置にスナップされているような同じ組立体を示している。
【図６】図５の組立体のケース中間部の概略斜視図を示しており、これは、風防のキャッチを挿入するための凹部と、ベゼルのスナップフィットタブを挿入するために設けられたハウジングとを有する。
【図７】図６のケース中間部の平面図であり、風防を支持する面の側、そしてこれらの凹部とハウジングの側からの図である。
【図８】図６のケース中間部の詳細の概略斜視図を示しており、これは、風防のキャッチを挿入するための軸方向の凹部を示しており、この凹部は、腕時計の主軸と実質的に平行であってケース中間部に対してその中心における接面に垂直であり、この凹部は、風防のキャッチを受けロックする空洞によって周方向に延びる。この空洞の上側部分は、隔壁によって、下側部分は、ケース中間部の下側支持面によって限界が定められている。隔壁の上部は、中間支持面を形成し、これは、風防の特定部分と連係するように構成し、これを越えると、ケース中間部の上側支持面が風防の特定部分と連係するように構成する。
【図９】図５の組立体の風防の詳細の概略斜視図を示しており、半径方向に突き出ているキャッチを示しており、これは、ケース中間部の凹部内で係合するように意図されたものであり、その上に狭い周部の第１のリブがマウントされており、この第１のリブは、下側の第１の面を有する操作用ノッチを支え、広い周部の第２のリブによって延び、この第２のリブは、ベゼルのスナップフィットフィンガーを当接して受けるように意図された下側の第２の面を有する。
【図１０】同じ風防の別の詳細を示している。これらの図に示す特定の組立体は、腕時計用ケースの部品どうしの相対的な向きが１つのみであるものに対して構成しているものであり、この詳細な図において示されている狭い周部の第１のリブには、操作用ノッチの拡張部分にて空欠部が設けられている。
【図１１】キャッチがある下側から見た図９及び１０の風防の平面図である。
【図１２】下側から見た図５の組立体のベゼルの概略斜視図を示しており、この下側には、ケース中間部の広い周部の第２のリブの下側の第２の面と当接連係するように意図されたスナップフィットフィンガーと、ケース中間部との連係のための境界材とがある。
【図１３】図１２のベゼルの詳細の概略斜視図を示しており、タブの端にスナップフィットフィンガーを示している。
【図１４】いわゆる下側から見た図１２及び１３のベゼルの平面図であり、この下側は、スナップフィットフィンガーを有し、また、ケース中間部に対向する。
【図１５】風防を見ることができる上側から図５の組立体を見た概略平面図を示しており、ＡＡ〜ＬＬは、ケースの同じ主軸を通る１２の断面であり、様々な領域におけるケース中間部、風防、ベゼルどうしの連係を示している。
【図１５Ａ−Ａ】図１５のＡ−Ａ断面図を示している。
【図１５Ｂ−Ｂ】図１５のＢ−Ｂ断面図を示している。
【図１５Ｃ−Ｃ】図１５のＣ−Ｃ断面図を示している。
【図１５Ｄ−Ｄ】図１５のＤ−Ｄ断面図を示している。
【図１５Ｅ−Ｅ】図１５のＥ−Ｅ断面図を示している。
【図１５Ｆ−Ｆ】図１５のＦ−Ｆ断面図を示している。
【図１５Ｇ−Ｇ】図１５のＧ−Ｇ断面図を示している。
【図１５Ｈ−Ｈ】図１５のＨ−Ｈ断面図を示している。
【図１５Ｉ−Ｉ】図１５のＩ−Ｉ断面図を示している。
【図１５Ｊ−Ｊ】図１５のＪ−Ｊ断面図を示している。
【図１５Ｋ−Ｋ】図１５のＫ−Ｋ断面図を示している。
【図１５Ｌ−Ｌ】図１５のＬ−Ｌ断面図を示している。
【図１６】この種のケースを有する腕時計の概略図を示している。
【発明を実施するための形態】
【００１２】
本発明は、好ましくは、プラスチック又は電気鋳造された材料で作られ又は断面が薄いケース中間部２と、及び取り外し可能な風防３とを有する腕時計用ケース１に関する。ここで、用語「風防」は、風防（クリスタル）ないしガラス、裏側クリスタル、裏蓋又はケース中間部に固定される任意の同様な部品を表すことができる広い意味の用語である。
【００１３】
本発明は、ケース中間部／ケースを補強するために付加的な金属部品を使用せずに風防３を取り外し可能にすることに関する。これを達成するために、風防３が垂直に保持されまま差し込み式嵌め合いでマウントされ、風防３がケース中間部２に対して回転するのを防ぐ回転止め手段６をスナップフィットによって固定する。
【００１４】
本発明によると、この風防３又はケース中間部２の一方は、複数のエルボー付きのキャッチ４を有する。これらのキャッチ４をそれぞれ、挿入又は取り外し用の第１の位置を呼ばれるケース中間部２と風防３の間の相対的な第１の角度的位置にて、ケース中間部２又は風防３の他方に設けられた対応する凹部５内に正面方向から挿入することができる。
【００１５】
図示していない変種において、風防３とケース中間部２はそれぞれ、キャッチ４と凹部５の両方を有することができる。当業者であれば、このような場合の特徴を、風防３のみがキャッチ４を有しケース中間部２だけが凹部５を有するような図で示した単純なケースについての説明から推定することができるであろう。
【００１６】
キャッチ４は、様々な構成を有することができ、特に、以下の構成を有することができる。
【００１７】
−  図に示す変種において、これらのキャッチ４は、１つの平面内にて風防３の中心から遠ざかるような半径方向に実質的に延びる突起である。
【００１８】
−  別の図示していない変種において、キャッチは、風防３の縁に対する接平面内にて実質的に延びるフック形のものである。
【００１９】
このようなキャッチ４はそれぞれ、挿入又は取り外し用の第１の角度的位置にて、ケース中間部２と風防３の間の距離が最小の場合に、凹部５内にて第１の押し込まれ位置を占めるように構成する。
【００２０】
キャッチ４がこの第１の押し込まれ位置にあるときに、ケース中間部２と風防３は、互いに対して回転して保持用の第２の角度的位置となるように構成している。この保持用の第２の角度的位置では、各キャッチ４の１つの部分（場合に応じて、突起又はエルボー）が、ケース中間部２又は風防３に設けられた安全キャッチを形成する保持面の裏で、正面方向からロックされる。
【００２１】
図６は、ケース中間部２の隔壁２１を示しており、これによって、風防３のキャッチ４を溝２２内に差し込み式マウントした後に、キャッチ４を形成する突起をロックする。この溝２２は、上側は隔壁２１によって、他方の下側はケース中間部２の下側支持面５５によって、そして、周側は面５４によって、限界が定められている。隔壁２１は、凹部５における端面２３を端としている。この凹部５は、溝２２の反対側では突起部５２を限界としている。隔壁２１の上部は、中間支持面２８を形成しており、これは、面２９によって周方向の限界が定められており、風防３の特定部分と連係するように構成する。それを越えると、ケース中間部２の上側支持面２７が、ベゼル７の特定部分と連係するように構成している。この中間支持面２８は、堅固な部分２６によって中断され、これによって、溝２２の底も形成されている。
【００２２】
特定の実施形態において、少なくとも１つのキャッチ４と１つの対応する隔壁２１との連係では、これらの２つの部品の少なくとも一方が弾性変形して、これによって、何らかの特定の応力が与えられていなくても、位置を維持するような摩擦がはたらく。また、この連係は、キャッチとノッチとの連係、又は同様な形態の相補的な面どうしの連係を伴って、これによって、保持用の第２の角度的位置で指標付けを行うこと、及び／又は分解時に高いトルクの付与を必要とするブレーキを設けることができる。
【００２３】
特定の変種では、キャッチ４（及び／又は対応する隔壁２１）に対して、リップル処理、ノッチを入れる、溝を入れるなどの処理を行う。
【００２４】
突起４は、図９に示す少なくとも１つの端面４１、４２を有し、これは、変種の１つにおいて、溝２２の底５１にて、ケース中間部２に対する風防３用の角度的止めメンバーを形成している。
【００２５】
この構成によって、ケース中間部２に対する風防３の適切な相対的な静的な保持を確実にすることができる。しかし、振動がある状況や加速度が大きい状況では、この差し込み式マウントが不十分である場合がある。
【００２６】
このために、本発明に特有の有利な構成では、ケース１は、回転止め手段６を有し、これは、この保持用の第２の角度的位置においてケース中間部２と風防３を角度的に固定するように構成する。
【００２７】
好ましくは、この回転止め手段６は、ケース中間部２に対して風防３を容易に分解することができるように構成する。
【００２８】
したがって、圧入や分解用の特定の工具を必要とするようなピン又はキーを用いることができず、また、分解すると部品の一部を損傷させるおそれがある。
【００２９】
好ましくは、回転止め手段６は、回転止め手段６に設けられたスナップフィット手段によって、ケース中間部２及び／又は風防３に正面方向からスナップフィットされる。図示した変種において、このスナップフィット手段は、スナップフィットフィンガー６１であり、これらは、弾性タブ７０の遠位端にあり、ケース中間部２及び／又は風防３に設けられた少なくとも１つの相補的な止め面又は相補的なスナップフィットフィンガーと連係するように構成する。図示した変種では、スナップフィットフィンガー６１は、風防３の広い周部の第２のリブ４６に設けられた下側の第２の面３２と当接連係する。この下側の第２の面３２は、好ましいことに、スナップフィットフィンガー６１の面に対して相補的な起伏を有することができる。また、下側の第２の面３２は、スナップフィットタブ７０に特有の弾性力に加えて、スナップフィットに貢献する弾性要素の面によって形成することができる。
【００３０】
好ましい変種では、回転止め手段６は、プラスチック材で作られている。
【００３１】
図面に示した好ましい変種では、回転止め手段６はベゼル７である。このベゼル７は、好ましくは、ケース中間部２とガラス３の両方に接するように配置される。
【００３２】
風防３が腕時計の前面上のメイン表示をカバーする風防であるような伝統的な構成に基づいて本発明を図示したが、本発明を腕時計の裏面に用いることができる。また、ここで「風防３」と呼んでいる部品を、裏側クリスタル、不透明な裏蓋又は他の要素で形成することができる。
【００３３】
変種の１つでは、風防３はプラスチック材で作られている。
【００３４】
本発明は、好ましくは（しかし、これに限定されない）、プラスチック製のケース中間部を意図している。なぜなら、風防などの組み立て時にこのようなケース中間部の変形を、また、破損をも防ぐことができるという利点を本発明が有するからである。しかし、小さな断面、特に、約０．５ｍｍ又は０．５ｍｍ未満、具体的には、０．５ｍｍの断面を有する１８カラットの金合金製のケース中間部、の電気鋳造されたケース中間部にも大いに適用可能である。
【００３５】
また、本発明は、プラスチック材で作られた風防のような圧入の際の応力の影響を受けやすい材料で作られた風防３、又は電気鋳造された裏蓋、又は他の要素を組み立てるために有利である。
【００３６】
好ましくは、保持用の第２の角度的位置は、ケース中間部２に設けられた第１の角度的止め手段によって限界が定められ、この第１の角度的止め手段は、風防３に設けられた相補的な第１の角度的止め手段と当接連係するように構成する。したがって、この第１の相補的な角度的止め手段を形成するケース中間部２の溝２２の底５１は、この第１の角度的止め手段を形成する風防３のキャッチ４の相補的な止め面４２と当接連係するように構成する。風防３の広い周部の第２のリブ４６に設けられた相補的な止め面４５は、ケース中間部２の堅固な部分２６の縁とも当接連係することができる。
【００３７】
回転止め手段６は、好ましいことに、第２の角度的止め手段を有し、これは、ケース中間部２に設けられた相補的なケース中間部の第２の角度的止め手段及び／又は風防３に設けられた相補的な風防の第２の角度的止め手段と当接連係するように構成する。図示した変種において、スナップフィットフィンガー６１の側方縁６６、６７が、この第２の角度的止め手段を形成し、ケース中間部２のハウジング５０の側面２４、２５に対してベゼル７の角度的クリアランスを制限するように構成し、このハウジング５０は、これらの相補的なケース中間部の角度的止め手段を形成している。これらの縁６６、６７は、ベゼルが所定位置にスナップフィットされた後に、風防３の回転を防ぐように構成する。縁６６、６７は、キャッチ４の端面４１、４２用の止めメンバーを形成している。当然、ベゼルが別個の角度的止め面を有するようにもできるが、スナップフィットと角度的位置保持機能の両方を行うスナップフィットタブ７０及びスナップフィットフィンガー６１を用いる方が単純である。
【００３８】
境界材６８は、そのリム６３を介して、ケース中間部２の中間支持面２８上に置かれ、この境界材６８の縁を、ケース中間部２の堅固な部分２６、５３の縁と当接連係させることができる。また、ベゼル７は、切頭円錐領域７４に対して突き出た部分又は凹んだ部分を有することができ、これは、所定の周部の遊びを有するように、風防３の切頭円錐部分３４に設けられた対応する凹んだ部分又は突き出た部分と連係する。
【００３９】
図面の変種において、ケース中間部２と風防３の間の距離が最小であるような押し込まれた第１の位置において、ケース中間部２と風防３がともに、ケース中間部２及び／又は風防３に設けられた溝９に収容された少なくとも１つのシーリングガスケット（図示せず）を圧縮する。
【００４０】
図面は、特定の実施形態を示したものであって、本発明はこれに制限されない。
【００４１】
図１〜５は、組み立ての流れを示したものであり、分解の流れはこれと反対である。
【００４２】
図１は、ケース中間部２の凹部５を形成するノッチに対向する風防３のキャッチ４の姿を示している。ケース中間部２の隔壁２１を形成している環状の形の区画を示してあり、この隔壁２１は、キャッチ４をロックするための溝２２の境界を定めている。ケース中間部２は、これらの隔壁２１のまわりに、溝２２の底や、堅固な部分である端面２３、２５、５１を有しており、これらの端面２３、２５、５１は、風防３の相補的な止め面４１、４２、４５と当接係合するように構成している。好ましくは、ケース中間部２と風防３の差し込み式嵌め合いでの相対的な連係が、一方向のみで行われ、この場合において、所定位置での止めが単に１つの端面５１と１つの相補的な止め面４２によって実現することができる。
【００４３】
正面方向の力Ｆを風防３に与えることによって、図２に示すように、キャッチ４を押し込まれた第１の位置にすることができる。
【００４４】
回転トルクを風防３に与えることによって、差し込み式マウント、そして、キャッチ４による溝２２と対応する隔壁２１との連係を固定することができる。この後に、ケース１を用いることができる。
【００４５】
図４は、スナップフィットフィンガー６１を有するタブ７０を備えるベゼル７が回転止め手段６を形成するような好ましい実施形態を示している。ケース中間部２は、タブ７０及びスナップフィットフィンガー６１を挿入できるように構成するハウジング５０を有している。図１５のいくつかの区画の断面図に示すように、これらのスナップフィットフィンガー６１は、風防３に設けられた裏面３２とスナップフィット構成で連係する。
【００４６】
当然、ケース中間部２に、専用の他のスナップフィットフィンガーと連係するような他の裏面を設けることもできる。
【００４７】
図５に示すように、正面方向の力Ｆをベゼル７に与えることによって、ベゼル７をケース中間部２にスナップフィットすることが可能になる。
【００４８】
図６〜８は、ケース中間部２及びその凹部５、ハウジング５０の詳細を示している。ハウジング５０は、突出部５２又は堅固な部分５３又は２６の間に位置し、ベゼル７の挿入時にタブ７０をガイドするための端面２３、２５が側方では境界となり、底面５６が底では境界となっている。この底面５６は、図面に示すように凹部５の底面５５と同じ高さレベルにあることができる。
【００４９】
図９〜１１は、リム３６に囲まれた表示のため及び閉じるための中央の機能的な部分のまわりで切頭円錐部分３４を有するような風防３を示しており、このリム３６は、下側面３３を端としており、これは、ここでは平坦である。風防３は、平坦な突起の形の４つのキャッチ４を有する。風防３は、さらに、平坦な部分を有する。これは、ここではノッチ４４であり、これは、ねじ込む工具又はねじ込みを外す工具のための支持部を形成し、キャッチ４又は突起との風防３の射出成形を促進させる。
【００５０】
このキャッチ４は、リム３６から半径方向に突き出ており、このキャッチ４の上には、狭い周部の第１のリブ４０がマウントされており、これは、下側の第１の面３５を有し、広い周部の第２のリブ４６が延びており、この第２のリブ４６は、下側の第２の面３２を有し、この上に、ベゼル７のスナップフィットフィンガー２１がスナップされている。キャッチ４及び狭い周部の第１のリブ４０はともに、溝３９の境界を定めている。キャッチ４、狭い周部の第１のリブ４０及び広い周部の第２のリブ４６どうしは、実質的に平行である。
【００５１】
図１０は、広い周部の第２のリブ４６の端面４５を示している。狭い周部の第１のリブ４０には、操作用ノッチ４４の延長部分に、空欠部４３が設けられている。
【００５２】
図１２〜１４は、スナップフィットフィンガー６１を備える２つのタブ７０を装備したベゼル７を示している。これらのスナップフィットフィンガー６１の縁６６、６７は、ケース中間部２のハウジング５０の側面２４、２５に対してベゼル７の角度的クリアランスを制限するように構成している。ベゼル７の周部の残りには、境界スカート６８があり、これは、通路６９によって中断され、狭い通路６５及び広い通路６９によってタブ７０から分けられており、角度的止めを形成する端面を有する。通路６５、６９の底６２は、平坦な支持面を形成している。境界材６８の縁６３は、前記支持面と平行な別の平坦な支持面を形成している。タブ７０は、中心を向いている実質的に円筒状の面６４を有する。また、ベゼル７は、切頭円錐面７４を有し、これは、風防３の対応する切頭円錐部分３４と連係するように構成している。
【００５３】
図１５Ａ−Ａ〜１５Ｌ−Ｌの断面図は、図５の組み立てられた位置の様々な面の連係を詳細に示している。
【００５４】
これらの断面図は、ケース内への湿気又は異物の導入を制限するためのベゼル７、風防３及びケース中間部２どうしの最適な重なり合いを示している。
【００５５】
具体的には、風防３及びベゼル７の切頭円錐面３４及び７４は、厳密に相補的な輪郭を有するように構成している。スナップフィットは、クランプ力によって１つのものを別のものに対して押して、これによって、周部の支持が連続的であることを確実にすることができる。
【００５６】
最大の直径を有するベゼル７の部分上で、ベゼル７が、ケース中間部２の上側支持面２７上に配置され、結果的に、ハウジング５０及びスナップフィット領域をカバーする。
【００５７】
より詳細には、断面図Ａ−Ａ、Ｇ−Ｇ、Ｈ−Ｈにて、スナップフィット連係の領域が示されている。断面図Ｅ−Ｅ、Ｆ−Ｆ、Ｋ−Ｋ、Ｌ−Ｌにて、溝２２内のキャッチ４の連係が示されている。
【００５８】
他の図は、必ずしも厳密に同一ではない。なぜなら、通路６５、６９によって境界材６８が中断され、場合によって、ベゼル７が堅固な区画２６の面２７に、及び／又はケース中間部２の中間支持面２８に、当接するからである。例えば、断面図Ｂ−Ｂの右側部分では、ベゼル７が、その面６２を介して堅固な区画２６の面２７と当接し、左側部分では、ベゼル７の境界材６８のリム６３も、ケース中間部２の中間支持面２８と当接する。
【００５９】
様々な支持面２７、２８、５５、５６及びケース中間部２の要素（リブ２１、堅固な部分２６、５３、突起５２）の軸方向及び半径方向の段付き構成は、ベゼル７の境界材６８及びスナップフィットタブ７０、そして風防３のリム３６、狭い周部の第１のリブ４０及び広い周部の第２のリブ４６と組み合わさって、ケース１の内容の保護を強化する複数のバッフルを形成することを可能にする。
【００６０】
本発明は、さらに、この種のケース１を有する腕時計１００に関する。
【００６１】
まとめると、本発明は、ケース中間部を補強すること又は風防にカラーを付加するのための付加的な部品を使用せずに、分解することができるベゼル及び風防を提供する。この手法によって、コストを減らし、空間を節約することができる。
【符号の説明】
【００６２】
１  腕時計用ケース
２  ケース中間部
３  風防
４  キャッチ
５  凹部
６  回転止め手段
７  ベゼル
９  溝
６１  スナップフィットフィンガー
１００  腕時計
【図１】
2016161566.tif 000003
【図２】
2016161566.tif 000004
【図３】
2016161566.tif 000005
【図４】
2016161566.tif 000006
【図５】
2016161566.tif 000007
【図６】
2016161566.tif 000008
【図７】
2016161566.tif 000009
【図８】
2016161566.tif 000010
【図９】
2016161566.tif 000011
【図１０】
2016161566.tif 000012
【図１１】
2016161566.tif 000013
【図１２】
2016161566.tif 000014
【図１３】
2016161566.tif 000015
【図１４】
2016161566.tif 000016
【図１５】
2016161566.tif 000017
【図１５Ａ−Ａ】
2016161566.tif 000018
【図１５Ｂ−Ｂ】
2016161566.tif 000019
【図１５Ｃ−Ｃ】
2016161566.tif 000020
【図１５Ｄ−Ｄ】
2016161566.tif 000021
【図１５Ｅ−Ｅ】
2016161566.tif 000022
【図１５Ｆ−Ｆ】
2016161566.tif 000023
【図１５Ｇ−Ｇ】
2016161566.tif 000024
【図１５Ｈ−Ｈ】
2016161566.tif 000025
【図１５Ｉ−Ｉ】
2016161566.tif 000026
【図１５Ｊ−Ｊ】
2016161566.tif 000027
【図１５Ｋ−Ｋ】
2016161566.tif 000028
【図１５Ｌ−Ｌ】
2016161566.tif 000029
【図１６】
2016161566.tif 000030